(57)【特許請求の範囲】
【請求項１】
ワイヤレスにて車両側の受信手段と交信が可能で、しかも携帯が可能で、車両側の負荷を制御操作するための遠隔操作器を備え、この遠隔操作器と前記受信手段との交信情報に基づいて車両側の負荷を制御するようにしたものにおいて、
前記遠隔操作器をプリペイドカード仕様のＩＣカードの装着が可能なように構成し、
この遠隔操作器に、
ＩＣカードの装着の有無を検出する検出手段と、
この検出手段がＩＣカードの装着無しを検出したときには、前記車両側の負荷を制御操作するときにＩＣカード装着無しを報知するカード無し報知手段とを設けたことを特徴とする車両用遠隔操作装置。
【請求項２】
ワイヤレスにて車両側の受信手段と交信が可能で、しかも携帯が可能で、車両側の負荷を制御操作するための遠隔操作器を備え、この遠隔操作器と前記受信手段との交信情報に基づいて車両側の負荷を制御するようにしたものにおいて、
前記遠隔操作器をプリペイドカード仕様のＩＣカードの装着が可能なように構成し、
この遠隔操作器に、
ＩＣカードの装着の有無を検出する検出手段と、
この検出手段がＩＣカードの装着無しを検出したときには、前記車両側の負荷を制御操作するときにＩＣカード装着無しを報知するカード無し報知手段と、
この検出手段がＩＣカードの装着有りを検出したときにこのＩＣカード固有のＩＤデータを読み出してこのＩＤデータが遠隔操作器に予め記憶されたＩＤデータと一致するか否かを判定する判定手段と、
この判定手段によりＩＤデータが不一致であることが判定されたときに、これを報知するカード不一致報知手段とを設けたことを特徴とする車両用遠隔操作装置。
【発明の詳細な説明】
【０００１】
【発明の属する技術分野】
本発明は、ＩＣカード（ＣＰＵを内蔵していないメモリＩＣカードも含む概念である）が装着可能な遠隔操作器を備えた車両用遠隔操作装置に関する。
【０００２】
【発明が解決しようとする課題】
最近、車両においては、車両側に受信手段を設ける一方、使用者（乗員）が携帯できる遠隔操作器を備えたものがある。この遠隔操作器は受信手段と交信ができるようになっており、この遠隔操作器を操作することによりワイヤレスで受信手段との間で信号が交信され、これによって、受信手段により車両側の負荷例えばドアロック装置を制御するようにしている。
【０００３】
一方、プリペイドカードをＩＣカードから構成し、このＩＣカードにより各種の料金を支払うことが考えられている。例えば、高速道路の料金所での料金支払いをこのＩＣカードにて行なうことが検討されていると共に、他に、駐車場での料金支払いや、ファーストフード店におけるドライブスルーでの料金支払いに利用することも考えられている。
【０００４】
ところで、このようなプリペイドカード仕様のＩＣカードは、車から降りる場合には、セキュリティの面から携帯するのが好ましく、車内等に置き忘れることを防止する必要がある。
【０００５】
本発明は上述の事情に鑑みてなされたものであり、その目的は、車両を使用する際に利用することが多いプリペイドカード仕様のＩＣカードが車内等に置き忘れることを防止できる車両用遠隔操作装置を提供するにある。
【０００６】
【課題を解決するための手段】
本発明は、ワイヤレスにて車両側の受信手段と交信が可能で、しかも携帯が可能で、車両側の負荷を制御操作するための遠隔操作器を備え、この遠隔操作器と前記受信手段との交信情報に基づいて車両側の負荷を制御するようにしたものにおいて、
前記遠隔操作器をプリペイドカード仕様のＩＣカードの装着が可能なように構成し、
この遠隔操作器に、
ＩＣカードの装着の有無を検出する検出手段と、
この検出手段がＩＣカードの装着無しを検出したときには、前記車両側の負荷を制御操作するときにＩＣカード装着無しを報知するカード無し報知手段とを設けたところに特徴を有する。
【０００７】
上記構成によれば、ＩＣカードが遠隔操作器に装着されていないときには、これが検出手段により検出され、そして、車両側の負荷を制御操作するときに報知手段によりＩＣカードの装着無しが報知される。
【０００８】
他の発明は、ワイヤレスにて車両側の受信手段と交信が可能で、しかも携帯が可能で、車両側の負荷を制御操作するための遠隔操作器を備え、この遠隔操作器と前記受信手段との交信情報に基づいて車両側の負荷を制御するようにしたものにおいて、
前記遠隔操作器をプリペイドカード仕様のＩＣカードの装着が可能なように構成し、
この遠隔操作器に、ＩＣカードの装着の有無を検出する検出手段と、この検出手段がＩＣカードの装着無しを検出したときには、車両側の負荷を制御操作するときにＩＣカード装着無しを報知するカード無し報知手段と、この検出手段がＩＣカードの装着有りを検出したときにこのＩＣカード固有のＩＤデータを読み出してこのＩＤデータが遠隔操作器に予め記憶されたＩＤデータと一致するか否かを判定する判定手段と、この判定手段によりＩＤデータが不一致であることが判定されたときに、これを報知するカード不一致報知手段とを設けたところに特徴を有する。
【０００９】
上記構成によれば、ＩＣカードが遠隔操作器に装着されていないときには、これが検出手段により検出され、そして、車両側の負荷を制御操作するときにカード無し報知手段によりＩＣカードの装着無しが報知される。さらに、この検出手段がＩＣカードの装着有りを検出したときに、判定手段により、このＩＣカード固有のＩＤデータが遠隔操作器に予め記憶されたＩＤデータと一致しないことが判定されたときには、カード不一致報知手段によりこれが報知される。
【００１０】
【発明の実施の形態】
以下、本発明の第１の実施例について、図１ないし図３を参照しながら説明する。
図２には、携帯可能な遠隔操作器１およびこれに装着されるＩＣカード２の外観が示されている。この図２において、ＩＣカード２は、プリペイドカードとして構成されたもので、ＣＰＵおよびＥＥＰＲＯＭなどを含んで成るＩＣチップ２ａが埋設されている。上記ＩＣカード２には、例えば高速道路料金所での課金装置等の外部機器との間で信号の授受を行なうための通信手段（図１に符号１１を付して示す）が設けられるものであるが、このような通信手段としては、通常のコンタクト方式の他に、電磁結合、光結合、静電結合などを利用した非接触方式を採用することができる。
【００１１】
遠隔操作器１の本体ケース３は、ＩＣカード２を内部に収納した状態で装着するホルダとして構成されたもので、端面にＩＣカード２を挿入するためのスリット３ａを形成すると共にカード保持部としての鍔部３ｂを有している。この本体ケース３の上面には、ロックスイッチ４、アンロックスイッチ５およびトランクオプナスイッチ６が設けられている。尚、これらのスイッチ４〜６は、メンブレインスイッチなどを利用することにより薄形化が図られている。また、本体ケース３の内部には、検出手段たるマイクロスイッチ７（図１参照）が設けられており、このマイクロスイッチ７は、例えば常閉形であり、そのアクチュエーター７ａが本体ケース３の裏面（スリット３ａ）側へ若干突出している。そして、ＩＣカード２がスリット３ａに挿入されるとマイクロスイッチ７が開放動作する。また、本体ケース３には、ボタン形の電池８（図１参照）が図示しないカートリッジを介して装着される構成となっている。
【００１２】
図１には、上記遠隔操作器１およびＩＣカード２の電気的構成、並びにそれらを利用した信号伝送システムの電気的構成が機能ブロックの組み合わせにて示されており、以下これについて説明する。
ＩＣカード２は、機能ブロックにて表現した場合、ＩＣチップ２ａ内のＣＰＵを中心に構成された制御部９と、ＩＣチップ２ａ内のＥＥＰＲＯＭにより構成された記憶部１０と、前述した通信手段１１とより成る。上記記憶部１０は、所定の記憶エリアに対し当該ＩＣカード２の所有者に固有のＩＤデータなどが書き替え不能な状態で記憶されるものであるが、他の記憶エリアには金額やカードの有効期限についてのデータを書き込み得るように構成される。
【００１３】
遠隔操作器１の本体ケース３には、前記ロックスイッチ４、アンロックスイッチ５、トランクオプナスイッチ６、マイクロスイッチ７および電池８の他に、報知制御手段としての制御装置１２、増幅装置１３、空中伝播信号発生装置１４、カード無し報知手段に相当するブザー１５が設けられる。
【００１４】
上記制御装置１２は、マイクロコンピュータを主体に構成されたもので、その記憶部には、ＩＣカード２と同じＩＤデータが予め記憶されている。そして、この制御装置１２は、増幅装置１３および空中伝播信号発生装置１４に対する電池８の出力の供給制御、並びに各スイッチ４〜７の操作に応じた後述のような制御を行うようになっている。
【００１５】
増幅装置１３は、制御装置１２が記憶するＩＤデータを含む信号と後述のように出力される操作信号を組み合わせると共に、その組み合わせ信号を増幅して空中伝播信号発生装置１４に与える構成となっている。空中伝播信号発生装置１４は、増幅装置１３から与えられる信号に変調をかけると共に、その変調信号を空中伝播信号、例えば電波信号として送信する構成となっている。尚、上記空中伝播信号としては、電波に限らず光、超音波などを利用できるものであるが、本実施例のように電波を利用する場合には、空中伝播信号発生装置１４に送信用アンテナが含まれることになる。
【００１６】
さて、制御装置１２は、ロックスイッチ４が操作されたときには、ロック操作信号とＩＤデータを含む信号とを組み合わせて増幅装置１３に与えるものであり、増幅装置１３はその組み合わせ信号を増幅して出力するようになり、これに応じて空中伝播信号発生装置１４からＩＤデータを含むロック信号Ｓａが電波信号により送信されるようになる。
【００１７】
さらに、制御装置１２は、アンロックスイッチ５およびトランクオプナスイッチ６が操作された各場合には、アンロック操作信号若しくはトランクオプナ操作信号を増幅装置１３に与えるものであり、従って上記各場合には、空中電波信号発生装置１４からＩＤデータを含むアンロック信号Ｓｂ若しくはトランクオプナ信号Ｓｃが電波信号により送信されることになる。
【００１８】
一方、受信手段たる受信ユニット１７は、自動車に搭載されるものであり、車両側の受信手段たる受信装置１８と負荷制御手段としてのＩＤデータ照合装置１９とを組み合わせた構成となっている。この場合、上記受信装置１８は、遠隔操作器１から送信される電波信号（ロック信号Ｓａ、アンロック信号Ｓｂ、トランクオプナ信号Ｓｃ）或いは同じ周波数帯の他の電波信号を受信したときに、その受信信号を復調してＩＤデータ照合装置１９に与えるようになっている。
【００１９】
ＩＤデータ照合装置１９は、受信装置１８が受信した電波信号中に含まれるＩＤデータを解読して予め記憶（登録）されたＩＤデータと照合し、両者が一致したときに、そのＩＤデータと組み合わされている信号（ロック信号Ｓａ、アンロック信号Ｓｂ、トランクオプナ信号Ｓｃの何れか）を受信したものと判断し、その受信信号に応じた負荷制御信号を発生する構成となっている。
【００２０】
具体的には、ＩＤデータ照合装置１９は、ロック信号Ｓａを受信したと判断したときには、自動車用ドアロック機構（図示せず）のロックおよびアンロック制御を行うドアロック制御装置２０（負荷）に対してロック動作を指令する負荷制御信号を出力し、アンロック信号Ｓｂを受信したと判断したときには、上記ドアロック制御装置２０に対してアンロック動作を指令する負荷制御信号を出力し、トランクオプナ信号Ｓｃを受信したと判断したときには、自動車用トランクリッドロック機構（図示せず）のアンロック制御を行うトランクオプナ制御装置２１（負荷）に対してアンロック動作（トランクオープン動作）を指令する負荷制御信号を出力する。
【００２１】
ところで、上記プリペイドカード仕様のＩＣカード２は、遠隔操作器１から外された状態で、高速道路の料金所や、駐車場の料金支払い所や、ファーストフード店などの課金装置と通信手段１１を介して交信し、料金の支払いを行なうものであり、このとき、支払い金額データが課金装置からＩＣカード２の記憶部１０に書き込まれるようになっている。
【００２２】
さて、ＩＣカード２が遠隔操作器１の本体ケース３に装着された状態では、常閉形のマイクロスイッチ７が開放動作する（図１参照）。すなわち、マイクロスイッチ７がＩＣカード２の装着有りを検出する。この場合、ロック、アンロックあるいはトランクオープン操作されても、制御装置１２はブザー１５を駆動しない（報知動作させない）。
【００２３】
また、ＩＣカード２が遠隔操作器１の本体ケース３に装着されない状態では、常閉形のマイクロスイッチ７が閉成動作する。すなわち、マイクロスイッチ７がＩＣカード２の装着無しを検出する。この場合、ロック、アンロックあるいはトランクオープン操作されると、制御装置１２はブザー１５を駆動する。これにより、ブザー１５が報知音を出力し、これにて、使用者が遠隔操作器１へのＩＣカード２の装着し忘れに気付く。特に、この遠隔操作器１は、使用者が車外に出るときには身に着けるものであるから、ＩＣカード２を車内に放置したことに気付くことになる。この結果、ＩＣカード２の車内への放置を防止できる。
【００２４】
次に、図４は本発明の第２の実施例を示しており、第１の実施例との主たる相違点は、ＩＣカード２′が正規のものであるか否かを判定し、正規のものでないときには、これを報知するようにする機能を付加したところにある。以下、第１の実施例と異なる部分について述べる。
【００２５】
ＩＣカード２′には、信号送受手段３１が設けられ、遠隔操作器１′には、第１の実施例における制御装置１２とはソフトウエア構成が異なる制御装置３２、通信装置３３、暗号化装置３４、カード無し報知手段およびカード不一致報知手段を兼用するブザー３５が設けられている。前記制御装置３２は判定手段としての機能も有する。
【００２６】
これらは、ＩＣカード２′が装着された状態において、次のように機能する。すなわち、前記通信装置３３は、当該ＩＣカード２′の制御部９に対し信号送受手段３１を通じてアクセス可能な状態を呈する構成となっている。
【００２７】
暗号化装置３４は、ＩＣカード２′側の記憶部１０に記憶されているＩＤデータが通信装置３３を通じて読み出された場合に、そのＩＤデータにスクランブルをかけて暗号化する構成となっている。尚、この暗号化装置３４は、前記制御装置３２を構成するマイクロコンピュータのプログラムにより実現できる。
【００２８】
なお、増幅装置１３は、暗号化装置３４から出力される暗号化信号（ＩＤデータを含む信号）と制御装置３２から後述のように出力される操作信号を組み合わせると共に、その組み合わせ信号を増幅して空中伝播信号発生装置１４に与える構成となっている。空中伝播信号発生装置１４は、増幅装置１３から与えられる信号に変調をかけると共に、その変調信号を空中伝播信号、例えば電波信号として送信する構成となっている。
【００２９】
また、前記制御装置３２は、ロックスイッチ４、アンロックスイッチ５、トランクオプナスイッチ６の何れかがオンされたときに、ＩＣカード２′の制御部９に対して記憶部１０に記憶されたＩＤデータをアンサバックすることを要求するリクエスト信号を発生するものであり、そのリクエスト信号は、通信装置３３を通じてＩＣカード２′側に送信される。そして、制御装置３２は、ロックスイッチ４が操作されたときには、ロック操作信号を増幅装置１３に与えるものであり、従ってこの場合には、当該増幅装置１３が、上記ロック操作信号とＩＤデータを含む暗号化信号との組み合わせ信号を増幅して出力するようになり、これに応じて空中伝播信号発生装置１４から暗号化されたＩＤデータを含むロック信号Ｓａ′が電波信号により送信されるようになる。
【００３０】
さらに、制御装置３２は、アンロックスイッチ５およびトランクオプナスイッチ６が操作された各場合には、アンロック操作信号若しくはトランクオプナ操作信号を増幅装置１３に与えるものであり、従って上記各場合には、空中電波信号発生装置１６から暗号化されたＩＤデータを含むアンロック信号Ｓｂ′若しくはトランクオプナ信号Ｓｃ′が電波信号により送信されることになる。
【００３１】
さて、ＩＣカード２′が遠隔操作器１′に装着されていない場合には、リミットスイッチ７が閉成していることにより、制御装置３２がブザー３５を連続的に駆動する。これにてブザー３５が報知音を連続して出力し、もって、ＩＣカード２′の装着し忘れつまり車内への置き忘れを報知する。
【００３２】
一方、ＩＣカード２′が遠隔操作器１′に装着されていない状態から、装着されると、リミットスイッチ７が開放し、これに基づいて制御装置３２は、ＩＣカード２′の制御部９に対して記憶部１０に記憶されたＩＤデータをアンサバックすることを要求するリクエスト信号を発生する。すると、そのリクエスト信号は、通信装置３３を通じてＩＣカード２′側に送信され、制御部９はＩＤデータを信号送受手段３１および通信装置３３を介して制御装置３２に送信する。制御装置３２は、このＩＤデータと、この制御装置３２が記憶したＩＤデータとが一致するか否かを判定し、両ＩＤデータが不一致である場合には、ブザー３５を断続的に駆動する。これにてブザー３５が断続的に報知音を出力し、この断続音をもって、装着されたＩＣカードが正規のＩＣカードでないことが報知される。
【００３３】
本発明は、上述した各実施例に限定されず、次のようにしても良い。すなわち、検出手段としては、例えば反射型光電スイッチ等でも良い。カード無し報知手段とカード不一致報知手段とは音色等の異なる別々の報知音を出力するブザーにて構成しても良い。また、これらの報知手段は、表示器から構成しても良い。さらに、車両側の負荷としてはエンジンスターターでも良い。
【００３４】
【発明の効果】
請求項１の発明によれば、ＩＣカードが遠隔操作器に装着されていないときには、これが検出手段により検出され、そして、車両側の負荷を制御操作するときにカード無し報知手段によりＩＣカードの装着無しが報知されるから、車両を使用する際に利用することが多いプリペイドカード仕様のＩＣカードが車内等に置き忘れることを防止できる。
請求項２の発明によれば、車両を使用する際に利用することが多いプリペイドカード仕様のＩＣカードが車内等に置き忘れることを防止できることに加え、ＩＣカードが正規のものでない場合にこれを報知できる。
【図面の簡単な説明】
【図１】本発明の第１の実施例の電気的構成を示す機能ブロック図
【図２】遠隔操作器およびＩＣカードの斜視図
【図３】遠隔操作器の裏面側を示す斜視図
【図４】本発明の第２の実施例の電気的構成を示す機能ブロック図
【符号の説明】
１は遠隔操作器、２はＩＣカード、４はロックスイッチ、７はマイクロスイッチ（検出手段）、９は制御部、１０は記憶部、１２は制御装置、１５はブザー（カード無し報知手段）、１７受信ユニット（受信手段）、２０はドアロック制御装置（負荷）、２１はトランクオプナ制御装置（負荷）、２′はＩＣカード、３２は制御装置（判定手段）、３５はブザー（カード無し報知手段、カード不一致報知手段）を示す。
【図１】
0003683635.tif 000002
【図２】
0003683635.tif 000003
【図３】
0003683635.tif 000004
【図４】
0003683635.tif 000005